(57)【要約】【課題】  板厚違いの被取付部材にがたつきなく取付けられるクリップを提供する。【解決手段】  クリップ１は、基部６と、基部６から延びる軸部７と、軸部の先端から基部に向け且つ軸部側面から遠ざかるように延びる一対の係止脚９Ａ、９Ｂと、係止脚と並んで軸部先端から基部に向け且つ軸部側面から遠ざかるように延びる一対の弾性の係止片１１Ａ、１１Ｂを包含し、係止片の先端は、被取付部材３Ａの取付穴５の縁部に係合する部分において基部下面に沿って軸部側面に近づくように湾曲した湾曲端部１２として形成され、湾曲端部１２は、取付穴縁部に係合すると被取付部材の板厚の違いに拘わらず基部及び軸部から離れる復元力を有する。【選択図】          図１６
2006112546.tif 000002
【特許請求の範囲】
【請求項１】
基部と、基部から延びる軸部と、軸部の先端から基部に向け且つ軸部側面から遠ざかるように延びる一対の係止脚とを有し、各係止脚はその先端に係合部を有し、パネル等の被取付部材の取付穴に軸部及び係止脚が挿入されると前記係合部が取付穴の縁部に係合して被取付部材に取付けられるクリップであって、
更に、前記係止脚と並んで前記軸部先端から前記基部に向け且つ前記軸部側面から遠ざかるように延びる、一対の弾性の係止片を包含し、該係止片の先端は、前記被取付部材の取付穴縁部に係合する部分において基部下面に沿いつつ基部下面に近づくように且つ軸部側面に近づくように湾曲した湾曲端部として形成され、該湾曲端部は、取付穴縁部に係合すると被取付部材の板厚の違いに拘わらず前記基部及び軸部から離れる復元力を有し、該復元力によって前記軸部及び基部が被取付部材に対してがたつくのを阻止する、ことを特徴とするクリップ。
【請求項２】
請求項１に記載のクリップにおいて、前記係止脚と前記係止片とはそれぞれ前記軸部を中心に対向して一対形成されて、一対の係止脚を結ぶ線と一対の係止片を結ぶ線とが軸部において交差していることを特徴とするクリップ。
【請求項３】
請求項１又は２に記載のクリップにおいて、前記基部は、縦断方向に２つに分割された第１分割基部と第２分割基部とで形成され、前記軸部は、縦断方向に２つに分割された第１分割軸部と第２分割軸部とで形成され、前記係止脚及び前記係止片は、第１分割軸部と第２分割軸部のそれぞれの先端から第１分割基部と第２分割基部のそれぞれに向けて折返すように延びていることを特徴とするクリップ。
【請求項４】
請求項３に記載のクリップにおいて、前記第１分割基部から前記第１分割軸部が一体的に延びており、前記第２分割基部から前記第２分割軸部が一体的に延びており、前記第１分割基部と前記第２分割基部とが薄肉ヒンジによって連結されて、第１分割軸部と第１分割基部と薄肉ヒンジと第２分割基部と第２分割軸部とが長く連結されていることを特徴とするクリップ。
【請求項５】
請求項４に記載のクリップにおいて、前記薄肉ヒンジを中心に旋回して第１分割基部と第２分割基部とが結合されて前記基部が形成されるとともに、前記第１分割軸部と前記第２分割軸部とが結合されて前記軸部が形成されることを特徴とするクリップ。
【請求項６】
請求項５に記載のクリップにおいて、前記第１分割軸部と前記第２分割軸部とには基部及び軸部の結合状態を維持するロック手段が形成されていることを特徴とするクリップ。
【請求項７】
請求項１〜５のいずれか１項に記載のクリップにおいて、前記基部は、前記被取付部材に取付ける取付部材である、ストラップの端部の連結部を保持する保持部を有することを特徴とするクリップ。
【発明の詳細な説明】
【技術分野】
【０００１】
本発明は、基部と基部から延びる軸部と軸部の先端から基部に向け且つ軸部から遠ざかるように延びる一対の係止脚とを包含する樹脂クリップに関し、詳細には、パネル等の被取付部材の取付穴に軸部と係止脚が挿入されると係止脚の係合部が取付穴の縁部に係合して、被取付部材に取付けられるクリップに関する。
【背景技術】
【０００２】
基部と基部から延びる軸部と軸部の先端から基部に向け且つ軸部から遠ざかるように延びる一対の係止脚とを包含し、パネル等の被取付部材の取付穴に軸部と係止脚が挿入されると係止脚の係合部が取付穴の縁部に係合して、被取付部材に取付けられるクリップは知られている。そのクリップの１例が、実開平１−１１３６０９号公報（特許文献１）に開示されている。このクリップでは、一対の係止脚のそれぞれが、長手方向のスリットによって２分割され、２分割された係止脚部分のそれぞれが被取付部材の取付穴に係合できるように形成されている。２分割された係止脚が一対形成されて４本の係止脚構成となって取付穴に係合するので、取付穴の寸法に誤差があったり取付穴の形状に歪みがあった場合でも、係合が確実に行われる。
【０００３】
実開平５−６６３１４号公報（特許文献２）には、基部となる座とその座から一体に延びる１本の係止脚とで形成され、係止脚が座から鉤形状の特殊な形状に突出しているクリップが開示されている。特殊形状の係止脚によって比較的弱い挿入力でも取付けを可能にしており、また、座と係止脚との間に取付穴の一部の縁部に適合する段部を形成するとともに、座に取付穴の他の一部の縁部に適合する別の段部を形成して、取付穴へ２つの段部を係合させ、鉤形状の係止脚と協働させて、クリップが被取付部材から倒れないように取付けられる。
【０００４】
実開昭５７−６３１１９号公報（特許文献３：実公昭６０−１５９４１号公報に対応）及び特開２０００−４６０２５号公報（特許文献４）には、被取付部材の取付穴へ係止脚を挿入することによって、被取付部材へ取付けられるクリップが開示されている。これらのクリップは、基部と係止脚とが縦断方向に分割されて基部でヒンジ連結されており、分割基部同士及び分割係止脚同士が結合されてクリップとして組立てられる。特開２００１−１９１８０３号公報（特許文献５）には、リッドパネル等の車体の一部に、特別な係止部を形成せずに、燃料キャップを係止できる燃料キャップ係止具が開示されている。
【０００５】
【特許文献１】実開平１−１１３６０９号公報
【特許文献２】実開平５−６６３１４号公報
【特許文献３】実開昭５７−６３１１９号公報（実公昭６０−１５９４１号公報）
【特許文献４】特開２０００−４６０２５号公報
【特許文献５】特開２００１−１９１８０３号公報
【発明の開示】
【発明が解決しようとする課題】
【０００６】
特許文献１のクリップは、一対の係止脚のそれぞれを２分割して４本の係止脚構成として、被取付部材の取付穴の寸法に誤差があったり形状に歪みがあった場合でも、係合を確実に行わせようとしている。しかし、厚さの違う被取付部材に取付ける場合においては、十分に対応できず、特に、薄い被取付部材の場合クリップががたつくことがあった。そのがたつきを防止するため、基部に吸盤形状の弾性部を形成したり、基部又は軸部にがたつき抑え片を形成したりしている。吸盤形状の弾性部やがたつき抑え片は、被取付部材への取付け面積を多く必要として、狭い場所への取付けに支障をきたし、また、被取付部材のおもて面（意匠面）で板厚違いを吸収するため、板厚の違いによりクリップの取付け高さが違ってしまい、意匠性を損なう虞れがある。特許文献２のクリップには、座から鉤形状に突出する、特殊形状の係止脚が形成されている。この係止脚は、低い挿入力でもクリップを取付けることができるもので、板厚違いの被取付部材に対処するものではない。
【０００７】
特許文献３及び特許文献４のクリップは、基部と係止脚とが長さ方向に分割されて基部でヒンジ連結され、分割基部同士及び分割係止脚同士が結合されてクリップとして組立てられる。板厚違いの被取付部材にがたつきなく取付けることについては何も示唆していない。特許文献５のクリップは、リッドパネル等の車体の一部に、特別な係止部を形成せずに、燃料キャップを係止するもので、板厚違いの被取付部材にがたつきなく取付けるクリップではない。
【０００８】
従って、本発明の目的は、板厚違いの被取付部材であっても取付け後においてがたつきのないクリップを提供することにある。
【課題を解決するための手段】
【０００９】
かかる目的を達成する、本発明に係るクリップは、基部と、基部から延びる軸部と、軸部の先端から基部に向け且つ軸部側面から遠ざかるように延びる一対の係止脚とを有し、各係止脚はその先端に係合部を有し、パネル等の被取付部材の取付穴に軸部及び係止脚が挿入されると係合部が取付穴の縁部に係合して被取付部材に取付けられるクリップであって、更に、係止脚と並んで軸部先端から基部に向け且つ軸部側面から遠ざかるように延びる一対の弾性の係止片を包含し、係止片の先端は、被取付部材の取付穴縁部に係合する部分において基部下面に沿いつつ基部下面に近づくように且つ軸部側面に近づくように湾曲した湾曲端部として形成され、湾曲端部は、取付穴縁部に係合すると被取付部材の板厚の違いに拘わらず基部及び軸部から離れる復元力を有し、復元力によって軸部及び基部が被取付部材に対してがたつくのを阻止することを特徴とする。
【００１０】
上記のように、係止片の復元力によって、板厚の違う被取付部材であっても、クリップを被取付部材に取付けるとともに、取付け後において軸部及び基部が被取付部材に対してがたつくのを阻止する。がたつきの防止によって、異音の発生を阻止できるだけでなく、クリップが被取付部材に取付けられた姿勢が一定に維持され、係止脚が取付穴へ安定して係合し、車体等の被取付部材が振動しても係止脚の係合外れ、ひいてはクリップの外れも防止できる。また、その板厚の違いを吸収する係止片の湾曲端部は被取付部材のおもて面ではなく裏面にあるので、意匠面に現れず、被取付部材の意匠性を損なうことはない。更に、基部に、吸盤形状の弾性部を形成する必要がなく、また、基部又は軸部にがたつき抑え片を形成する必要がないので、被取付部材への取付け面積も少なく、狭い場所への取付けに支障をきたすこともない。
【００１１】
上記クリップにおいて、係止脚と係止片とはそれぞれ軸部を中心に直径方向に対向して一対形成されて、一対の係止脚を結ぶ線と一対の係止片を結ぶ線とが軸部において交差しているのが好ましい。これによって、係止脚で保持した力と係止片でがたつきを抑える力とが軸部周囲に均等に分布される。
【００１２】
また、上記クリップにおいて、基部は、縦断方向に２つに分割された第１分割基部と第２分割基部とで形成され、軸部は、縦断方向に２つに分割された第１分割軸部と第２分割軸部とで形成され、係止脚及び係止片は、第１分割軸部と第２分割軸部のそれぞれの先端から第１分割基部と第２分割基部のそれぞれに向けて折返すように延びているのが好ましい。その場合、第１分割基部から第１分割軸部が一体的に延びており、第２分割基部から第２分割軸部が一体的に延びており、第１分割基部と第２分割基部とが薄肉ヒンジによって連結されて、第１分割軸部と第１分割基部と薄肉ヒンジと第２分割基部と第２分割軸部とが長く形成されているのが好ましい。更に、薄肉ヒンジを中心に旋回して第１分割基部と第２分割基部とが結合されて基部が形成されるとともに、第１分割軸部と第２分割軸部とが結合されて軸部が形成されるのが好ましい。また、第１分割軸部と第２分割軸部とには基部及び軸部の結合状態を維持するロック手段が形成されているのが好ましい。このように、基部と軸部を２つに分割して形成することによって、基部及び軸部の複雑な内部に関する形状が露出することによって成形型が簡単になり、また基部に別部品を取付ける場合に、結合前の状態でその部品の連結部分を基部に配置して結合のときその連結部分を固定することができ、取付け作業が簡単にできる。
【００１３】
そして、上記クリップにおいて、基部は、被取付部材に取付ける取付部材である、ストラップの端部の連結部を保持する保持部を有するのが好ましい。これによって、例えば、リッドパネル等の車体すなわち被取付部材の一部に、特別な係止部を形成せずに、取付部材である燃料キャップのストラップを連結することができる。
【発明を実施するための最良の形態】
【００１４】
以下、図面を参照して本発明の実施形態に係るクリップを説明する。図１〜図６には結合前のクリップ１が示され、図７〜図１２には、結合後のクリップ１が示されている。図１３〜図１５には、クリップ１に、取付部材としての、燃料キャップから延びるストラップ（ひも）２の端部が保持されて、車体等の被取付部材３の取付穴５に取付けられたクリップが種々の方向から示されている。図１６及び図１７は、図１４の被取付部材３より厚い場合（図１６）及び薄い場合（図１７）における、クリップ１の係止片（後述）の作用を示している。図示の実施形態において、成形時及び使用前のクリップ１は、図１〜図６に示すように、縦断方向に２つに分割され、２つの分割部分が結合されない状態にある。また、被取付部材３へ取付ける場合、クリップ１は、図７〜図１２に図示の結合後の状態で用いられる。例示のクリップ１は、図１３〜１５に図示のように、取付部材としてのストラップ２の端部を保持し、ストラップ２を保持した状態で被取付部材３の取付穴５に取付けられる。
【００１５】
以下、図１〜図６に示す結合前のクリップ１を、図７〜図９も参照しながら説明した後に、図７〜図１２を参照して結合後のクリップ１を説明する。クリップ１は、硬質プラスチック材料の一体成形品で成る。図１〜図６に示すように、クリップ１は、図９のクリップ１の縦断方向（上下方向）において軸対照に２つに分割されて形成され、その２つの分割部分が基部６において相互に連結されて、図１〜図３に図示のように、全体として長く延びている。クリップ１は、図７及び図９に図示のように、基部６と、基部７から延びる軸部７と、軸部７の先端（図９の下端）から基部６に向け且つ軸部７の側面から遠ざかるように延びる一対の係止脚７、７とを有する。図１〜図６において、基部６を構成するのは、第１分割基部６Ａ及び第２分割基部６Ｂである。軸部７を構成するのは、第１分割基部６Ａから延びる第１分割軸部７Ａと、第２分割基部６Ｂから延びる第２分割軸部７Ｂである。一対の係止脚７の一方は、第１分割軸部７Ａの先端から第１分割基部６Ａに向け且つ第１分割軸部７Ａの側面から遠ざかるように延びる第１係止脚９Ａであり、他方の係止脚は、第２分割軸部７Ｂの先端から第２分割基部６Ｂに向け且つ第２分割軸部７Ｂの側面から遠ざかるように延びる第２係止脚９Ｂである。これらの係止脚９Ａ及び９Ｂの先端には、被取付部材の取付穴の縁部に係合する係止肩１０が形成されている。
【００１６】
更に、クリップ１は、図１の下方に図示のように、第２分割軸部７Ｂの先端から第２係止脚９Ｂと対向する側において第２分割基部６Ｂの方向（図１の上方）に向け且つ第２分割軸部７Ｂの側面から遠ざかるように延びる弾性の第１係止片１１Ａと、図１の上方に図示のように、第１分割軸部７Ａの先端から第１係止脚９Ａと対向する側において第１分割基部６Ａの方向（図１の下方）に向け且つ第１分割軸部７Ａの側面から遠ざかるように延びる弾性の第２係止片１１Ｂとを包含する。第１係止片１１Ａと第２係止片１１Ｂは、一対の係止片を構成する。また、図７〜図１２に示す結合後において、第１係止片１１Ａは第１係止脚９Ａと並んで基部６に向け且つ軸部７の側面から遠ざかるように延び、第２係止片１１Ｂは第２係止脚９Ｂと並んで基部６に向け且つ軸部７の側面から遠ざかるように延びる。更に、係止片１１Ａ及び１１Ｂのそれぞれの先端は、図９（及び図１１）に示すように、基部６の下面に沿いつつ基部下面に近づくように且つ軸部７の側面に近づくように湾曲した弾性の湾曲端部１２として形成されている。図１において、係止片１１Ａの湾曲端部１２は、上向きに凸形状に湾曲して先端が第２分割軸部７Ｂの側面に向いており、係止片１１Ｂの湾曲端部１２は、下向きに凸形状に湾曲して先端が第１分割軸部７Ａの側面に向いている。湾曲端部１２は、被取付部材の取付穴縁部に係合する部分となり、被取付部材の取付穴の縁部に係合すると、その形状と弾性によって、被取付部材の板厚の違いに拘わらず、基部６の下面及び軸部７の側面から離れる復元力を有し、この復元力によって板厚の違う被取付部材であっても軸部７及び基部６が被取付部材に対してがたつくのが阻止される。
【００１７】
クリップ１の結合後において、図７及び図８に示すように、第１係止脚９Ａと第２係止脚９Ｂとは軸部７を中心に対向して対を成し、第１係止片１１Ａと第２係止片１１Ｂとは軸部７を中心に対向して対を成す。図８に図示のように、一対の係止脚９Ａと９Ｂの先端を結ぶ線１３と一対の係止片１１Ａと１１Ｂの先端を結ぶ線１４とが軸部７において交差している。これによって、係止脚９Ａ及び９Ｂで保持する力と係止片１１Ａ及び１１Ｂでがたつきを抑える力とが軸部７の周囲に均等に分布して、クリップ１を被取付部材にがたつき無く強固に保持するのを増強する。
【００１８】
クリップ１は、第１分割基部６Ａから第１分割軸部７Ｂが一体的に延び、第２分割基部６Ｂから第２分割軸部７Ｂが一体的に延び、第１分割基部６Ａと第２分割基部６Ｂとは薄肉ヒンジ１５によって連結されて、クリップ１全体が一体成形されている。また、第１分割軸部７Ａと第１分割基部６Ａと薄肉ヒンジ１５と第２分割基部６Ｂと第２分割軸部７Ｂとが長く延びた状態に形成されている。２つに分割して中間となる第１分割基部６Ａと第２分割基部６Ｂを薄肉ヒンジ１５で連結して長く形成したことによって、基部６及び軸部７の複雑な内部に関する形状が露出するので、クリップ１の成形型が簡単になる。
【００１９】
クリップ１の結合においては、薄肉ヒンジ１５を中心に旋回すれば、第１分割基部６Ａと第２分割基部６Ｂとが結合されて基部６が形成され、第１分割軸部７Ａと第２分割軸部７Ｂとが結合されて軸部７が形成され、簡単に結合できる。クリップ１の結合を維持するため、第１分割軸部７Ａと第２分割軸部７Ｂとには基部６及び軸部７の結合状態を維持するロック手段が形成されている。ロック手段は、第１分割軸部７Ａ及び第２分割軸部７Ｂに形成されたロック用突起１７とロック用凹部１８とで成る。結合を確実にするため、ロック用突起１７及び凹部１８は２対設けられている。図１２はロック用凹部１８にロック用突起１７が係合して結合状態が維持されることを示している。このように、基部６と軸部７を分割して形成し薄肉ヒンジ１５の回りに旋回することによって結合できるようにしたことで、基部６にストラップ２（図１３参照）等の別部品を取付ける場合に、結合前の状態でその部品の連結部分を基部６に配置して、結合するときその連結部分を固定することができ、取付け作業が簡単にできる。
【００２０】
図示のクリップ１において、基部６は、例えば、燃料キャップ（図示せず）から延びるストラップ２の端部の連結部を保持する保持部を有する。保持部は、第１分割基部６Ａ及び第２分割基部６Ｂに形成された半円凹部１９Ａ及び１９Ｂ（図２、図５、図６）と、半円凹部１９Ａ、１９Ｂより小径の半円凹部２１Ａ及び２１Ｂとを包含する。半円凹部１９Ａ、１９Ｂには、ストラップ２の端部の連結部を収容され、半円凹部２１Ａ及び２１Ｂからストラップ２を出すことによって、ストラップ２を保持できる。これによって、リッドパネル等の車体（被取付部材）の一部に、特別な係止部を形成せずに、クリップ１によって燃料キャップを係止することができる。
【００２１】
図７〜図１２を参照すると、結合後のクリップ１が示されている。クリップ１を結合するには、薄肉ヒンジ１５を中心に旋回して、第１分割基部６Ａと第２分割基部６Ｂとを結合させて基部６を形成し、第１分割軸部７Ａと第２分割軸部７Ｂとを結合させて軸部７を形成するだけで、簡単に結合できる。この結合を維持するのは、第１分割軸部７Ａ及び第２分割軸部７Ｂに形成された２対のロック用突起１７とロック用凹部１８である（図１２参照）。なお、この結合のとき、図１３等に図示のストラップ２の連結部分を、第１分割基部６Ａの半円凹部１９Ａ及び２１Ａと第２分割基部半円凹部１９Ｂ及び２１Ｂに配置してから第１分割基部６Ａと第２分割基部６Ｂを結合すれば、結合後の基部６にストラップ２を保持することができ、取付部材の保持作業が簡単にできる。
【００２２】
結合後のクリップ１は、基部６と、基部６から延びる軸部７と、軸部６の先端から基部６に向け且つ軸部７の側面から遠ざかるように延びる一対の係止脚９Ａ、９Ｂと、係止脚９Ａ、９Ｂと並んで軸部７の先端から基部６に向け且つ軸部７の側面から遠ざかるように延びる一対の弾性の係止片１１Ａ、１１Ｂとを包含する。各係止片１１Ａ（１１Ｂ）の先端は、被取付部材の取付穴縁部に係合する部分において、基部６の下面に沿いつつ近づくように且つ軸部７の側面に近づくように湾曲した湾曲端部１２として形成されている。湾曲端部１２は、取付穴縁部に係合すると被取付部材の板厚の違いに拘わらず基部６の下面から及び軸部７の側面から離れる復元力を有する。係止片１１Ａ（１１Ｂ）の湾曲端部１２の復元力によって軸部７及び基部６は被取付部材の板厚の違いに拘わらずがたつくのを阻止する。また、各係止脚９Ａ（９Ｂ）は、その先端に係合部となる係止肩１０を有し、被取付部材の取付穴に軸部７及び係止脚９Ａ、９Ｂが挿入されると、その係止肩１０が取付穴の縁部に係合して被取付部材に取付けられる。これによって、クリップ１は被取付部材に取付けられる。
【００２３】
図１３〜図１５において、例えば、燃料キャップから延びる、取付部材としてのストラップ２の端部が基部６に保持されたクリップ１が、リッドパネル等の車体すなわち被取付部材３に取付けられている。基部６には、第１分割基部６Ａと第２分割基部６Ｂの結合のとき、ストラップ２の端部が基部６内の凹部１９Ａ、１９Ｂ及び２１Ａ、２１Ｂ（図９及び図１０等）で形成される保持部に保持されている。係止脚９Ａ、９Ｂは、被取付部材３の取付穴５に挿入されて、係止肩１０が取付穴５の縁部に係合しており、基部６は被取付部材３に接面して、クリップ１が被取付部材に取付けられ、これにより、ストラップ２が被取付部材３に取付けられる。
【００２４】
図１４及び図１５に図示のように、係止片１１Ａ及び係止片１１Ｂは、その先端の湾曲端部１２が取付穴５の縁部に係合している。係止片の湾曲端部１２は、その形状と弾性によって、基部６の下面及び軸部７の側面から離れる復元力を有し、係止片自身が取付穴５への固定を行うとともに、その復元力によって軸部７及び基部６が被取付部材に対してがたつくのを阻止する。特に、湾曲端部１２は、その復元力によって、被取付部材の板厚の違いに拘わらず、軸部７及び基部６が被取付部材に対してがたつくのを阻止する。
【００２５】
図１４、図１６及び図１７を参照すると、板厚が違う被取付部材３、３Ａ、３Ｂにクリップ１が取付けられる様子が示されている。図１６の被取付部材３Ａは、図１４の被取付部材３より薄く、図１７の被取付部材３Ｂは、図１４の被取付部材３より厚い。図示のように、係止脚９Ａは、被取付部材３、３Ａ、３Ｂの取付穴５の縁部に、係止肩１０が係合している。係止片１１Ｂは、その先端の湾曲端部１２が、被取付部材３、３Ａ、３Ｂの取付穴５の縁部に係合している。図示していないが、係止脚９Ｂ及び係止片１１Ａも同様に取付穴５の縁部に係合している。係止片の湾曲端部１２は、被取付部材３、３Ａ、３Ｂの厚さの違いに応じて、取付穴５の縁部へ係合する位置が違っているが、湾曲端部１２の復元力により取付穴５の縁部への押圧力は強く維持されている。特に、図１６の矢印２２に示すように、薄い被取付部材３Ａにクリップ１を取付ける場合においても、湾曲端部１２の復元力は、他の厚さの被取付部材３（図１４）及び３Ｂ（図１７）と同様に取付穴５の縁部への押圧力は強く維持される。これによって、被取付部材が厚い場合であっても薄い場合であっても、湾曲端部１２は、取付穴縁部へ確実に当接して、基部６の下面及び軸部７の側面から離れる方向の復元力を作用させる。従って、係止片１１Ａ及び係止片１１Ｂは、被取付部材の板厚の違いに拘わらず、軸部７及び基部６が被取付部材に対してがたつくのを阻止する。
【００２６】
上記のように、板厚の違う被取付部材であっても、係止片１１Ａ及び１１Ｂは、その先端の湾曲端部１２が取付穴５の縁部に強く係合し、係止片自身がクリップ１を被取付部材へ固定するとともに、係止片の復元力で軸部７及び基部６が被取付部材に対してがたつくのを阻止する。がたつきの阻止によって、異音の発生を阻止でき、クリップの姿勢を一定に維持しぐらつきによる係止脚の係合外れを阻止し、被取付部材への固定を安定させる。また、係止脚９Ａ及び９Ｂの係止力を高く維持して、クリップ１を被取付部材に強固に取付けることができる。その板厚の違いを吸収する係止片の湾曲端部１２は被取付部材３、３Ａ、３Ｂのおもて面ではなく裏面にあるので、意匠面に現れず、被取付部材の意匠性を損なうことはない。従って、基部６に、吸盤形状の弾性部を形成する必要がなく、また、基部６又は軸部７にがたつき抑える抑え片を形成する必要がないので、被取付部材への取付け面積も少なく、狭い場所への取付けに支障をきたすこともない。
【図面の簡単な説明】
【００２７】
【図１】本発明の１実施形態に係る、２分割成形されて結合される前のクリップの正面図である。
【図２】図１のクリップの右側面図である。
【図３】図１のクリップの左側面図である。
【図４】図１のクリップの底面図である。
【図５】図２のクリップの５−５線断面図である。
【図６】図２のクリップの６−６線断面図である。
【図７】図１のクリップを結合した後のクリップの右側面図である。
【図８】図７のクリップの底面図である。
【図９】図７のクリップの９−９線断面図である。
【図１０】図７のクリップの１０−１０線断面図である。
【図１１】図７のクリップの１１−１１線断面図である。
【図１２】図１１のクリップの１２−１２線断面図である。
【図１３】図７のクリップを用いてストラップを被取付部材に取付けた状態を示すクリップの右側面図である。
【図１４】図１３のクリップを正面から見た図である。
【図１５】図１３のクリップを背面から見た図である。
【図１６】薄い被取付部材に取付けた、図１３と同様のクリップの正面図である。
【図１７】厚い被取付部材に取付けた、図１３と同様のクリップの正面図である。
【符号の説明】
【００２８】
１  クリップ
２  ストラップ
３  被取付部材
５  取付穴
６  基部
６Ａ  第１分割基部
６Ｂ  第２分割基部
７  軸部
７Ａ  第１分割軸部
７Ｂ  第２分割軸部
９Ａ：９Ｂ  係止脚
１０  係止肩
１１Ａ：１１Ｂ  係止片
１２  湾曲端部
１３  係止脚を結ぶ線
１４  係止片を結ぶ線
１５  薄肉ヒンジ
１７  ロック用突起
１８  ロック用凹部
１９Ａ：１９Ｂ  半円凹部
２１Ａ：２１Ｂ  小径の半円凹部
【図１】
2006112546.tif 000003
【図２】
2006112546.tif 000004
【図３】
2006112546.tif 000005
【図４】
2006112546.tif 000006
【図５】
2006112546.tif 000007
【図６】
2006112546.tif 000008
【図７】
2006112546.tif 000009
【図８】
2006112546.tif 000010
【図９】
2006112546.tif 000011
【図１０】
2006112546.tif 000012
【図１１】
2006112546.tif 000013
【図１２】
2006112546.tif 000014
【図１３】
2006112546.tif 000015
【図１４】
2006112546.tif 000016
【図１５】
2006112546.tif 000017
【図１６】
2006112546.tif 000018
【図１７】
2006112546.tif 000019